(57)【要約】【課題】簡単な構成で、合成光学系と投射光学系の相対的な位置調整と固定と行う。【解決手段】画像投射装置は、複数の光変調素子１０３〜１０５により変調された複数の光を合成する合成光学系１０１と、合成された複数の光を被投射面に投射する投射光学系１０７が取り付けられるマウント部材１０９とを有する。複数の光変調素子から合成光学系を介して投射光学系に向かう複数の光の光路を含む断面を第１の断面（ＸＹ）とし、該第１の断面に直交して投射光学系の光軸１０７ａを含む断面を第２の断面（ＸＺ）とする。マウント部材に対する合成光学系の第１の断面内での回転位置の調整において該合成光学系の回転中心を与える形状を有し、該調整後の合成光学系が固定された保持部材１０２を有する。保持部材とマウント部材との間に、該保持部材と該マウント部材の第２の断面内での相対回転位置の調整に用いられた調整用部材１０８ｂを有する。【選択図】図３
2017032618.tif 000002
【特許請求の範囲】
【請求項１】
複数の光変調素子と、
該複数の光変調素子のそれぞれにより変調された複数の光を合成する合成光学系と、
該合成光学系により合成された前記複数の光を被投射面に投射する投射光学系が取り付けられるマウント部材とを有し、
前記複数の光変調素子から前記合成光学系を介して前記マウント部材に取り付けられた前記投射光学系に向かう前記複数の光の光路を含む断面を第１の断面とし、該第１の断面に直交して前記投射光学系の光軸を含む断面を第２の断面とするとき、
前記マウント部材に対する前記合成光学系の前記第１の断面内での回転位置の調整において該合成光学系の回転中心を与える形状を有し、前記調整後の前記合成光学系が固定された保持部材を有するとともに、
前記保持部材と前記マウント部材との間に、該保持部材と該マウント部材の前記第２の断面内での相対回転位置の調整に用いられた調整用部材を有することを特徴とする画像投射装置。
【請求項２】
前記保持部材と前記マウント部材との間に、該保持部材と該マウント部材の前記第２の断面内での前記相対回転位置の調整における回転中心を与える連結部を有することを特徴とする請求項１に記載の画像投射装置。
【請求項３】
前記保持部材と前記マウント部材との間に、前記第２の断面内における前記投射レンズの光軸がシフトする方向に前記マウント部材をガイドするガイド部を有することを特徴とする請求項１または２に記載の画像投射装置。
【請求項４】
前記合成光学系は、光を透過および反射する複数の光学膜面を有しており、
前記保持部材が前記合成光学系に与える前記回転中心は、前記第１の断面において前記複数の光学膜面または該複数の光学膜面のそれぞれを含む複数の平面が交差する位置に対応することを特徴とする請求項１から３のいずれか一項に記載の画像投射装置。
【請求項５】
複数の光変調素子と、
該複数の光変調素子のそれぞれにより変調された複数の光を合成する合成光学系と、
該合成光学系により合成された前記複数の光を被投射面に投射する投射光学系が取り付けられるマウント部材とを有する画像投射装置の製造方法であって、
前記複数の光変調素子から前記合成光学系を介して前記マウント部材に取り付けられた前記投射光学系に向かう前記複数の光の光路を含む断面を第１の断面とし、該第１の断面に直交して前記投射光学系の光軸を含む断面を第２の断面とするとき、
前記合成光学系を保持する保持部材に、前記合成光学系に前記第１の断面内での回転中心を与える形状を設け、
前記回転中心を用いて、前記マウント部材に対する前記合成光学系の前記第１の断面内での回転位置を調整し、
前記回転位置の調整後の前記合成光学系を前記保持部材に固定し、
前記保持部材と前記マウント部材との間に配置した調整用部材を用いて、前記保持部材と前記マウント部材の前記第２の断面内での相対回転位置の調整を行い、
前記相対回転位置の調整後の前記マウント部材と前記保持部材とを固定することを特徴とする画像投射装置の製造方法。
【発明の詳細な説明】
【技術分野】
【０００１】
本発明は、液晶パネル等の光変調素子を用いた画像投射装置（以下、プロジェクタという）に関する。
【背景技術】
【０００２】
プロジェクタの小型化と投射画像の高精細化とによって、プロジェクタに用いられる光変調素子の画素ピッチが小さくなるとともに、投射光学系（投射レンズ）の解像性能の向上が必要とされている。一般に、投射レンズの焦点深度は光変調素子の画素ピッチと該光変調素子を照明する照明光学系のＦナンバーの積に比例する。つまり、明るさの向上と画素ピッチの小ピッチ化とよって焦点深度が小さくなる。
【０００３】
投射レンズの焦点深度が小さくなると、投射レンズの倒れや偏芯によるメカニカルな誤差が影響して、投射画像がぼける等、投射画質が低下する。さらに、複数の色光を複数の光変調素子により変調し、変調された複数の色光を合成光学系により合成して投射レンズに導くプロジェクタでは、合成光学系の製造誤差や取付け誤差も投射画質に影響する。このため、合成光学系と投射レンズ（さらには光変調素子）との相対的な組付け調整が必要となる。
特許文献１には、合成される複数の色光の光路を含む第１の断面において固定板に対する色合成光学系の回転位置調整を可能とし、かつ第１の断面に直交する第２の断面での色合成光学系のあおり位置調整とが可能な色合成光学系の製造装置が開示されている。
【先行技術文献】
【特許文献】
【０００４】
【特許文献１】特許第３７１６７６７号公報
【発明の概要】
【発明が解決しようとする課題】
【０００５】
しかしながら、特許文献１にて開示された製造装置は構成が複雑であり、大型化し易い。また、色合成光学系を構成するプリズムの固定板への接着部の形状が球面等の不安定な形状を有するために、接着後のプリズムの位置精度を保ちにくい。
【０００６】
本発明は、簡単な構成でありながらも、合成光学系と投射光学系との相対的な位置調整とその後の固定とを良好に行うことができるようにした画像投射装置を提供する。
【課題を解決するための手段】
【０００７】
本発明の一側面としての画像投射装置は、複数の光変調素子と、該複数の光変調素子のそれぞれにより変調された複数の光を合成する合成光学系と、該合成光学系により合成された複数の光を被投射面に投射する投射光学系が取り付けられるマウント部材とを有する。複数の光変調素子から合成光学系を介してマウント部材に取り付けられた投射光学系に向かう複数の光の光路を含む断面を第１の断面とし、該第１の断面に直交して投射光学系の光軸を含む断面を第２の断面とする。このとき、マウント部材に対する合成光学系の第１の断面内での回転位置の調整において該合成光学系の回転中心を与える形状を有し、該調整後の合成光学系が固定された保持部材を有するとともに、保持部材とマウント部材との間に、該保持部材と該マウント部材の第２の断面内での相対回転位置の調整に用いられた調整用部材を有することを特徴とする。
【０００８】
また、本発明の他の一側面としての画像投射装置の製造方法は、複数の光変調素子と、該複数の光変調素子のそれぞれにより変調された複数の光を合成する合成光学系と、該合成光学系により合成された複数の光を被投射面に投射する投射光学系が取り付けられるマウント部材とを有する画像投射装置を製造する。該方法は、複数の光変調素子から合成光学系を介してマウント部材に取り付けられた投射光学系に向かう複数の光の光路を含む断面を第１の断面とし、該第１の断面に直交して投射光学系の光軸を含む断面を第２の断面とするとき、合成光学系を保持する保持部材に、合成光学系に第１の断面内での回転中心を与える形状を設け、該回転中心を用いて、マウント部材に対する合成光学系の第１の断面内での回転位置を調整し、回転位置の調整後の合成光学系を保持部材に固定し、保持部材とマウント部材との間に配置した調整用部材を用いて、保持部材とマウント部材の第２の断面内での相対回転位置の調整を行い、相対回転位置の調整後のマウント部材と保持部材とを固定することを特徴とする。
【発明の効果】
【０００９】
本発明によれば、簡単な構成でありながらも、第１および第２の断面内での合成光学系とマウント部材（投射光学系）との相対的な回転位置の調整とその後のこれらの固定とを良好に行うことができる。
【図面の簡単な説明】
【００１０】
【図１】本発明の実施例１である透過型液晶プロジェクタに用いられるプリズムユニットの上面図。
【図２】実施例１のプリズムユニットの斜視図。
【図３】実施例１のプリズムユニットの側面図。
【図４】実施例１の変形例としてのプリズムユニットの側面図。
【図５】実施例１の別の変形例としてのプリズムユニットの側面図。
【図６】本発明の実施例２である反射型液晶プロジェクタの光学構成を示す断面図。
【図７】実施例２のプロジェクタに用いられるプリズムユニットの上面図。
【図８】実施例２のプリズムユニットの斜視図。
【図９】実施例２のプリズムユニットの側面図。
【図１０】実施例２の変形例としてのプリズムユニットの側面図。
【図１１】実施例２の別の変形例としてのプリズムユニットの側面図。
【発明を実施するための形態】
【００１１】
以下、本発明の実施例について図面を参照しながら説明する。
【実施例１】
【００１２】
図１には、本発明の実施例１である画像投射装置としての透過型液晶プロジェクタにおけるプリズムユニットの構成を示している。１０１は色合成光学系を構成するクロスプリズムである。クロスプリズム１０１は、その内部に互いに直交する光学膜面としてのダイクロイック面１０１ａ，１０１ｂを有する立方体または直方体のプリズム型光学素子である。クロスプリズム１０１は、ダイクロイック面１０１ａまたは１０１ｂが形成された４つの三角柱形状のプリズム片を互いに貼り合わせることで製作される。
【００１３】
クロスプリズム１０１の周囲には、複数の光変調素子として、緑（Ｇ）、青（Ｂ）および赤（Ｒ）用の透過型液晶パネル（以下それぞれ、Ｇ、ＢおよびＲパネルという）１０３，１０４，１０５が配置されている。
【００１４】
Ｇ、ＢおよびＲパネル１０３，１０４，１０５にはそれぞれ、光源からの光（白色光）を色分解する不図示の色分離光学系からの照明光であるＧ光、Ｂ光およびＲ光が図中の白矢印で示す方向から入射する。Ｇ、ＢおよびＲパネル１０３，１０４，１０５はそれぞれ、入射したＧ光、Ｂ光およびＲ光を画像変調するとともに透過させる。画像変調されたＧ光、Ｂ光およびＲ光は、クロスプリズム１０１における互いに異なる入射面１０１ｄ，１０１ｅ，１０１ｆからクロスプリズム１０１内に入射する。Ｇ光はダイクロイック面１０１ｂで反射してクロスプリズム１０１の出射面１０１ｃに向かう。Ｒ光はダイクロイック面１０１ａで反射して出射面１０１ｃに向かう。また、Ｂ光はダイクロイック面１０１ａ，１０１ｂを透過して出射面１０１ｃに向かう。こうしてＧ光、Ｂ光およびＲ光は合成されて出射面１０１ｃからクロスプリズム１０１を出射して投射レンズ（投射光学系）１０７に入射し、投射レンズ１０７によって不図示のスクリーン等の被投射面に投射される。これにより、カラー画像としての投射画像が被投射面上にて表示される。
【００１５】
１０２はクロスプリズム１０１を保持する保持部材としてのプリズム台座である。１０９は投射レンズ１０７が取り付けられるマウント部材である。なお、投射レンズ１０７は、マウント部材１０９に対して固定的（交換不能）に取り付けられてもよいし、着脱可能（交換可能）に取り付けられてもよい。
【００１６】
本実施例では、図１に示すように、Ｇ、ＢおよびＲパネル１０３，１０４，１０５からクロスプリズム１０１を介してマウント部材１０９に取り付けられた投射レンズ１０７に向かうＧ光、Ｂ光およびＲ光の光路を含む断面を第１の断面とする。以下の説明では、第１の断面をＸＹ断面という。
【００１７】
ＸＹ断面において、クロスプリズム１０１の光学面としての外形面（出射面１０１ｃおよび入射面１０１ｄ，１０１ｅ，１０１ｆ）には、それらの研磨誤差やプリズム片の貼合わせ誤差等の製造誤差によって、投射レンズ１０７の光軸１０７ａに対する傾きが生じる。なお、ここにいう光軸１０７ａは、クロスプリズム１０１の出射面１０１ｃおよび入射面１０１ｅに向かって真っ直ぐに延びるだけでなく、ダイクロイック面１０１ａ，１０１ｂでの反射により入射面１０１ｄ，１０１ｆに向かって折れ曲がって延びているものとする。
【００１８】
このような投射レンズ１０７の光軸１０７ａに対するクロスプリズム１０１の外形面１０１ｃ〜１０１ｆの傾きは、投射レンズ１０７の解像性能に影響する。具体的には、Ｇ、ＢおよびＲパネル１０３，１０４，１０５の小型化によってこれらの画素サイズが小さくなると、クロスプリズム１０１の外形面１０１ｃ〜１０１ｆと投射レンズ１０７の光軸１０７ａとのなす角度が９０度からずれる。これにより、投射レンズ１０７の解像度が低下する。このような投射レンズ１０７の光軸１０７ａに対するクロスプリズム１０１の各外形面の傾きをキャンセルするためには、ＸＹ断面における投射レンズ１０７に対するクロスプリズム１０１の回転位置を調整可能とする必要がある。つまり、クロスプリズム１０１の回転位置を調整することで、投射レンズ１０７の光軸１０７ａとクロスプリズム１０１の各外形面の法線とを一致させる必要がある。
【００１９】
以下、クロスプリズム１０１と投射レンズ１０７とのＸＹ断面およびこれに直交して投射レンズ１０７の光軸１０７ａを含む第２の断面であるＸＺ断面における相対的な回転位置調整を含む本実施例のプロジェクタの製造方法について説明する。
【００２０】
図２には、ＸＹ断面内（第１の断面内）においてマウント部材１０９に取り付けられた投射レンズ１０７に対するクロスプリズム１０１の回転位置を調整可能とするプリズム調整構造を示している。プリズム台座１０２の台座面には丸穴形状の穴部１１１が形成されており、クロスプリズム１０１の底面（ダイクロイック面１０１ａ，１０１ｂに直交するプリズム外面）には円柱形状の軸部材１１０が接着されている。軸部材１１０の位置は、ダイクロイック面１０１ａ，１０１ｂが交差する位置（以下、ダイクロイック面中心という）に対応する位置である。
【００２１】
軸部材１１０は、穴部１１１に挿入される。クロスプリズム１０１の底面は、プリズム台座１０２の台座面に当接する。この構成によれば、クロスプリズム１０１を、その底面をプリズム台座１０２の台座面に対して摺動させながら、ＸＹ断面において軸部材１１０と穴部１１１とにより与えられる回転中心回りでプリズム台座１０２に対して回転させることができる。言い換えれば、クロスプリズム１０１を、そのダイクロイック面中心回りで、投射レンズ１０７に対してＸＹ断面内で回転させることができる。
【００２２】
クロスプリズム１０１の回転位置の調整後は、クロスプリズム１０１の底面をプリズム台座１０２の台座面（平面）に接着する。これにより、ＸＹ断面内での投射レンズ１０７の光軸１０７ａに対するクロスプリズム１０１の回転位置を安定的に固定（維持）することができる。
【００２３】
このようなプリズム調整構造に代えて、図２の右上側に示すように、クロスプリズム１０１の１つの角部をプリズム台座１０２に設けた位置決めピン１０２ｂに片寄せし、クロスプリズム１０１を位置決めピン１０２ｂを基準として回転させる構造を用いてもよい。この際、位置決めピン１０２ｂとクロスプリズム１０１との間にワッシャ等の調整用部材を挿入することで、クロスプリズム１０１の回転位置を固定することができる。
【００２４】
図３には、ＸＺ断面でのプリズムユニットの構成を示している。図３では、クロスプリズム１０１の製造誤差により、該クロスプリズム１０１（の外形面）には投射レンズ１０７の光軸１０７ａに対して傾きφが生じており、この傾きをキャンセルするための調整が必要となる。本実施例では、ＸＹ断面ではクロスプリズム１０１をプリズム台座１０２および投射レンズ１０７（マウント部材１０９）に対して回転させることでその回転位置を調整可能とした。これに対して、ＸＺ断面では、マウント部材１０９をクロスプリズム１０１に対して回転させることで上記傾きφをキャンセルし、クロスプリズム１０１の各外形面の法線に投射レンズ１０７の光軸１０７ａを一致させる。
【００２５】
図３において、プリズム台座１０２にその台座面に対して垂直に延びるように設けられた壁部とマウント部材１０９との間には、マウント調整構造が設けられている。マウント調整構造は、プリズム台座１０２の壁部に形成されたＶ溝部にマウント部材１０９にＹ方向に延びるように設けられた軸部を当接させた回転連結部１０８を有する。これにより、ＸＺ断面内（第２の断面内）でのプリズム台座１０２に対するマウント部材１０９の回転を可能とする。
【００２６】
また、プリズム台座１０２の壁部とマウント部材１０９との間における回転連結部１０８を挟んだＺ方向の一方と他方にはそれぞれ、バネ部材１０８ａと調整用部材としてのくさび型スライド１０８ｂとが設けられている。くさび型スライド１０８ｂは、ねじ１０８ｃを回転させることでＺ方向に移動して、プリズム台座１０２の壁部とマウント部材１０９との間隔を変化させる。これにより、マウント部材１０９は、回転連結部１０８を中心としてＸＺ断面内で回転する。この構成によれば、プリズム台座１０２上のクロスプリズム１０１に対してマウント部材１０９（つまりは投射レンズ１０７の光軸１０７ａ）のＸＺ断面内での回転位置を無段階に調整することができる。
【００２７】
なお、くさび型スライド１０８ｂに代えて、マウント部材１０９とプリズム台座１０２の壁部との間にワッシャ等の他の調整用部材を挿入することで、マウント部材１０９および投射レンズ１０７の回転位置を調整することもできる。
【００２８】
マウント部材１０９の回転位置の調整後は、マウント部材１０９をプリズム台座１０２の壁部に接着する。これにより、ＸＺ断面内でのクロスプリズム１０１に対するマウント部材１０９および投射レンズ１０７の光軸１０７ａの回転位置を安定的に固定（維持）することができる。
【００２９】
ここで、マウント部材１０９および投射レンズ１０７の回転によって投射レンズ１０７の光軸１０７ａ上における投射レンズ１０７とＧ、ＢおよびＲパネル１０３，１０４，１０５との距離が変動すると、投射レンズ１０７の解像性能が劣化する。投射レンズ１０７の回転によって上記距離が変動しないためには、その回転中に投射レンズ１０７の光軸１０７ａに対してクロスプリズム１０１の外形面（１０１ｃ〜１０１ｆ）の法線が一致した状態が維持されるようにすればよい。本実施例では、図３に示すように、ＸＺ断面において、投射レンズ１０７の光軸１０７ａに重なる位置に投射レンズ１０７の回転中心となる回転連結部１０８を設けている。これにより、投射レンズ１０７の回転によって投射レンズ１０７とＧ、ＢおよびＲパネル１０３，１０４，１０５との距離が変動することを回避することができる。
【００３０】
また、投射レンズ１０７の光軸１０７ａをプリズム台座１０２上のクロスプリズム１０１に対して回転させるのに伴い、Ｇ、ＢおよびＲパネル１０３，１０４，１０５もその中心に光軸１０７ａが位置し、かつ光軸１０７ａに直交するように移動させる必要がある。しかし、図３に点線で示す位置から実線で示す位置に各パネルを大きく移動させると、その一部が色分離光学系からの照明光１１０の入射領域から外れ、その結果、投射画像に欠けが生ずるおそれがある。
【００３１】
そこで、図３の右下部に示すように、回転連結部１０８にガイド部としての長穴部１０８ｄを形成し、この長穴部１０８ｄ内でマウント部材１０９に設けた軸部１０８ｅをＺ方向に平行スライド可能な構成とする。そして、投射レンズ１０７のＸＺ断面での回転位置を調整した後に投射レンズ１０７をＺ方向に平行スライドさせて、各パネルの位置が照明光１１０の入射領域から外れないように投射レンズ１０７の光軸１０７ａのＺ方向での位置を調整する。
【００３２】
また、図３に示したマウント調整構造に代えて、図４に示すように、投射レンズ１０７の光軸１０７ａに対してプリズム台座１０２をＸＺ断面内で回転可能とする台座調整構造を採用してもよい。この場合、投射レンズ１０７の光軸１０７ａに対するクロスプリズム１０１の傾きφをキャンセルする、つまり投射レンズ１０７の光軸１０７ａにクロスプリズム１０１の外形面（１０１ｃ〜１０１ｆ）の法線を一致させるように、プリズム台座１０２を回転させる。この構成によれば、各パネルの位置が照明光１１０の入射領域から外れることなく、クロスプリズム１０１の外形面と投射レンズ１０７の光軸１０７ａとのＸＺ断面内での相対関係（直交する関係）を適正に設定することができる。
【００３３】
また、図５には、プリズム台座１０２の壁部とマウント部材１０９との間に、投射レンズ１０７をその光軸１０７ａがＺ方向にシフトするようにガイドするガイド部としてのシフト機構１１１を設けてもよい。この場合は、シフト機構１１１（つまりはマウント部材１０９）とプリズム台座１０２の壁部との間に前述した回転連結部１０８（ただし、長穴部１０８ｄを有さない）を設け、投射レンズ１０７のＸＺ断面内での回転位置を調整する。その後、シフト機構１１１を用いて各パネルの位置が照明光１１０の入射領域から外れないように投射レンズ１０７のＺ方向での位置を調整すればよい。
【００３４】
本実施例によれば、簡単な構成でありながらも、ＸＹおよびＸＺ断面内でのダイクロイックプリズム１０１とマウント部材１０９（つまりは投射レンズ１０７）との相対回転位置の調整とその後のこれらの固定とを良好に行うことができる。
【実施例２】
【００３５】
図６には、本発明の実施例２である画像投射装置としての反射型液晶プロジェクタの光学構成を示している。図６において、左側には水平断面（ＸＺ断面）を、右側には垂直断面（ＸＹ断面）をそれぞれ示す。
【００３６】
４１は連続スペクトルで白色光を発光する放電発光管（以下、単に発光管という）である。４２は発光管４１からの光を所定の方向に集光する凹面鏡を有するリフレクタである。発光管４１とリフレクタ４２により光源ランプ１が構成される。
【００３７】
４３ａは水平方向において屈折力を有するシリンドリカルレンズセルを複数配列した第１シリンダアレイである。４３ｂは第１シリンダアレイ４３ａの個々のレンズセルに対応したシリンドリカルレンズセルを複数有する第２シリンダアレイである。４４は紫外線吸収フィルタ、４５は無偏光光を所定の偏光光に変換する偏光変換素子である。
【００３８】
４６は垂直方向において屈折力を有するシリンドリカルレンズで構成されたフロントコンプレッサである。４７はランプ１からの光軸を、ほぼ９０度（より詳しくは８８度）折り曲げるための反射ミラーである。
【００３９】
４３ｃは垂直方向において屈折力を有するシリンドリカルレンズセルを複数配列した第３シリンダアレイである。４３ｄは第３シリンダアレイ４３ｃの個々のレンズセルに対応したシリンドリカルレンズアレイを複数有する第４シリンダアレイである。
【００４０】
５０は色座標を所定値に調整するために特定波長域の色をランプ１に戻すためのカラーフィルタである。４８はコンデンサーレンズである。４９は垂直方向において屈折力を有するシリンドリカルレンズで構成されたリアコンプレッサである。以上により、照明光学系αが構成される。
【００４１】
５８は青（Ｂ）と赤（Ｒ）の波長領域の光を反射し、緑（Ｇ）の波長領域の光を透過するダイクロイックミラーである。５９は透明基板に偏光素子を貼り付けたＧ用の入射側偏光板であり、Ｐ偏光光のみを透過する。６０は多層膜により構成された偏光分離面においてＰ偏光光を透過し、Ｓ偏光光を反射する第１偏光ビームスプリッタである。
【００４２】
６１Ｒ，６１Ｇ，６１Ｂはそれぞれ、入射した光を反射するとともに画像変調する光変調素子としての赤用反射型液晶パネル、緑用反射型液晶パネルおよび青用反射型液晶パネルである。６２Ｒ，６２Ｇ，６２Ｂはそれぞれ、赤用１／４波長板、緑用１／４波長板および青用１／４波長板である。
【００４３】
６４ａはＲ光の色純度を高めるためにオレンジ光をランプ１に戻すトリミングフィルタである。６４ｂは透明基板に偏光素子を貼り付けたＲＢ用入射側偏光板であり、Ｐ偏光のみを透過する。
【００４４】
６５はＲ光の偏光方向を９０度変換し、Ｂ光の偏光方向は変換しない色選択性位相差板である。６６は偏光分離面においてＰ偏光を透過し、Ｓ偏光を反射する第２偏光ビームスプリッタである。
【００４５】
６８ＢはＢ用出射側偏光板であり、Ｂ光のうちＳ偏光成分のみを整流する。６８ＧはＧ光のうちＳ偏光成分のみを透過させるＧ用出側偏光板である。６９はＲ光およびＢ光を透過し、Ｇ光を反射するダイクロイックプリズムである。
【００４６】
以上のダイクロイックミラー５８〜ダイクロイックプリズム６９により、色分解合成光学系βが構成される。
【００４７】
本実施例において、偏光変換素子４５はＰ偏光をＳ偏光に変換するが、ここでいうＰ偏光とＳ偏光は、偏光変換素子４５における光の偏光方向を基準として述べている。一方、ダイクロイックミラー５８に入射する光は、第１および第２偏光ビームスプリッタ６０，６６での偏光方向を基準として考え、Ｐ偏光光であるとする。すなわち、本実施例では、偏光変換素子４５から出射された光をＳ偏光光とするが、同じＳ偏光光をダイクロイックミラー５８に入射する場合はＰ偏光光として定義する。
【００４８】
次に、光学的な作用について説明する。発光管４１から発した光はリフレクタ４２により所定の方向に集光される。リフレクタ４２は放物面形状の凹面鏡を有し、放物面の焦点位置からの光は該放物面の対称軸に平行な光束となる。但し、発光管４１からの光源は理想的な点光源ではなく、有限の大きさを有しているので、集光する光束には放物面の対称軸に平行でない光の成分も多く含まれている。これらの光束は、第１シリンダアレイ４３ａに入射する。第１シリンダアレイ４３ａに入射した光束は、シリンダレンズセルの数に応じた複数の光束に分割されて集光され、垂直方向に並ぶ帯状の複数の光束となる。そして、これら複数の分割光束は、紫外線吸収フィルタ４４および第２シリンダアレイ４３ｂを経て、複数の光源像を偏光変換素子４５の近傍に形成する。
【００４９】
偏光変換素子４５は、偏光分離面と反射面と１／２波長板とを有する。複数の光束は、それぞれの列に対応した偏光分離面に入射し、これを透過するＰ偏光成分とここで反射するＳ偏光成分とに分割される。反射されたＳ偏光成分は反射面で反射し、Ｐ偏光成分と同じ方向に出射する。一方、偏光分離面を透過したＰ偏光成分は、１／２波長板を透過してＳ偏光成分と同じ偏光成分に変換される。こうして、同じ偏光方向を有する複数の光束が出射する。
【００５０】
偏光変換された複数の光束は、偏光変換素子４５から出射した後、フロントコンプレッサ４６で圧縮され、反射ミラー４７によって８８度反射され、第３シリンダアレイ４３ｃに入射する。
【００５１】
第３シリンダアレイ４３ｃに入射した光束は、シリンダレンズセルの数に応じた複数の光束に分割されて集光され、水平方向に並ぶ帯状の複数の光束となる。該複数の分割光束は、第４シリンダアレイ４３ｄおよびコンデンサーレンズ４８を介してリアコンプレッサ４９に入射する。
【００５２】
フロントコンプレッサ４６、コンデンサーレンズ４８およびリアコンプレッサ４９の光学作用によって、複数の光束によって形成される矩形像は互いに重なり合い、矩形の均一な明るさの照明エリアを形成する。この照明エリアに、反射型液晶パネル６１Ｒ，６１Ｇ，６１Ｂが配置される。
【００５３】
偏光変換素子４５によってＳ偏光とされた光は、ダイクロイックミラー５８に入射する。以下、ダイクロイックミラー５８を透過したＧ光の光路について説明する。
【００５４】
ダイクロイックミラー５８を透過したＧ光は、入射側偏光板５９に入射する。Ｇ光はダイクロイックミラー５８によって分解された後もＰ偏光（偏光変換素子４５を基準とする場合はＳ偏光）となっている。そして、Ｇ光は入射側偏光板５９から出射した後、第１偏光ビームスプリッタ６０に対してＰ偏光として入射し、その偏光分離面を透過してＧ用反射型液晶パネル６１Ｇへと至る。
【００５５】
ここで、該プロジェクタの不図示の制御基板には、パーソナルコンピュータ、ＤＶＤプレーヤ、テレビチューナ等の不図示の画像供給装置が接続されている。制御基板は、画像供給装置から入力された画像情報に基づいて反射型液晶パネル６１Ｒ，６１Ｇ，６１Ｂを駆動し、これらに各色用の原画を形成させる。これにより、各反射型液晶パネルに入射した光は、反射されるとともに原画に応じて変調（画像変調）される。画像供給装置とプロジェクタとにより画像表示システムが構成される。
【００５６】
Ｇ用反射型液晶パネル６１Ｇにおいては、Ｇ光が画像変調されて反射される。画像変調されたＧ光のうちＰ偏光成分は、再び第１偏光ビームスプリッタ６０の偏光分離面を透過して光源側に戻され、投射光から除去される。一方、画像変調されたＧ光のうちＳ偏光成分は、第１偏光ビームスプリッタ６０の偏光分離面で反射され、投射光としてダイクロイックプリズム６９に向かう。
【００５７】
このとき、すべての偏光成分をＰ偏光に変換した状態（黒を表示した状態）において、第１偏光ビームスプリッタ６０とＧ用反射型液晶パネル６１Ｇとの間に設けられた１／４波長板６２Ｇの遅相軸を所定の方向に調整する。これにより、第１偏光ビームスプリッタ６０とＧ用反射型液晶パネル６１Ｇで発生する偏光状態の乱れの影響を小さく抑えることができる。
【００５８】
第１偏光ビームスプリッタ６０から出射したＧ光は、ダイクロイックプリズム６９に対してＳ偏光として入射し、該ダイクロイックプリズム６９のダイクロイック面で反射して投射レンズ５へと至る。
【００５９】
一方、ダイクロイックミラー５８で反射したＲ光とＢ光は、トリミングフィルタ６４ａに入射する。Ｒ光とＢ光はダイクロイックミラー５８によって分解された後もＰ偏光となっている。そして、Ｒ光とＢ光は、トリミングフィルタ６４ａでオレンジ光成分がカットされた後、入射側偏光板６４ｂを透過し、色選択性位相差板６５に入射する。
【００６０】
色選択性位相差板６５は、Ｒ光の偏光方向のみを９０度回転させる作用を有し、これによりＲ光はＳ偏光として、Ｂ光はＰ偏光として第２偏光ビームスプリッタ６６に入射する。
【００６１】
Ｓ偏光として第２偏光ビームスプリッタ６６に入射したＲ光は、該第２偏光ビームスプリッタ６６の偏光分離面で反射され、Ｒ用反射型液晶パネル６１Ｒへと至る。また、Ｐ偏光として第２偏光ビームスプリッタ６６に入射したＢ光は、該第２偏光ビームスプリッタ６６の偏光分離面を透過してＢ用反射型液晶パネル６１Ｂへと至る。
【００６２】
Ｒ用反射型液晶パネル６１Ｒに入射したＲ光は、画像変調されて反射される。画像変調されたＲ光のうちＳ偏光成分は、再び第２偏光ビームスプリッタ６６の偏光分離面で反射されて光源側に戻され、投射光から除去される。一方、画像変調されたＲ光のうちＰ偏光成分は、第２偏光ビームスプリッタ６６の偏光分離面を透過して、投射光としてダイクロイックプリズム６９に向かう。
【００６３】
また、Ｂ用反射型液晶パネル６１Ｂに入射したＢ光は、画像変調されて反射される。画像変調されたＢ光のうちＰ偏光成分は、再び第２偏光ビームスプリッタ６６の偏光分離面を透過して光源側に戻され、投射光から除去される。一方、画像変調されたＢ光のうちＳ偏光成分は、第２偏光ビームスプリッタ６６の偏光分離面で反射して、投射光としてダイクロイックプリズム６９に向かう。
【００６４】
このとき、第２偏光ビームスプリッタ６６とＲ用，Ｂ用反射型液晶パネル６１Ｒ，６１Ｂとの間に設けられた１／４波長板６２Ｒ，６２Ｂの遅相軸を調整することにより、Ｇ光の場合と同じように、Ｒ，Ｂ光それぞれの黒表示状態での調整を行うことができる。
【００６５】
こうして１つの光束に合成されて第２偏光ビームスプリッタ６６から出射したＲ光とＢ光は、出射側偏光板６８Ｂで検光されてダイクロイックプリズム６９に入射する。また、Ｒ光はＰ偏光のまま出射側偏光板６８Ｂを透過して、ダイクロイックプリズム６９に入射する。
【００６６】
出射側偏光板６８Ｂで検光されることにより、Ｂ光は、該Ｂ光が第２偏光ビームスプリッタ６６、Ｂ用反射型液晶パネル６１Ｂおよび１／４波長板６２Ｂを通ることによって生じた無効な成分がカットされた光となる。
【００６７】
そして、ダイクロイックプリズム６９に入射したＲ光とＢ光は、ダイクロイック面を透過して、該ダイクロイック面にて反射したＧ光と合成されて投射レンズ５に至る。
【００６８】
そして、合成されたＲ，Ｇ，Ｂ光は、投射レンズ５によってスクリーンなどの被投射面に拡大投影される。
【００６９】
以上説明した光路は、反射型液晶パネルが白表示状態の場合である。以下では、反射型液晶パネルが黒表示状態の場合での光路について説明する。
【００７０】
まず、Ｇ光の光路について説明する。ダイクロイックミラー５８を透過したＧ光のＰ偏光光は、入射側偏光板５９に入射し、その後第１偏光ビームスプリッタ６０に入射してその偏光分離面で透過され、Ｇ用反射型液晶パネル６１Ｇへと至る。しかし、反射型液晶パネル６１Ｇが黒表示状態であるため、Ｇ光は画像変調されずに反射される。このため、Ｇ用反射型液晶パネル６１Ｇで反射された後も、Ｇ光はＰ偏光光のままである。したがって、Ｇ光は再び第１偏光ビームスプリッタ６０の偏光分離面を透過し、入射側偏光板５９を透過して光源側に戻され、投射光から除去される。
【００７１】
次に、Ｒ光とＢ光の光路について説明する。ダイクロイックミラー５８で反射したＲ光とＢ光のＰ偏光光は、入射側偏光板６４ｂに入射する。そして、入射側偏光板６４ｂから出射した後、色選択性位相差板６５に入射する。色選択性位相差板６５は、Ｒ光の偏光方向のみを９０度回転する作用を持つため、Ｒ光はＳ偏光として、Ｂ光はＰ偏光として第２偏光ビームスプリッタ６６に入射する。
【００７２】
Ｓ偏光として第２偏光ビームスプリッタ６６に入射したＲ光は、その偏光分離面で反射され、Ｒ用反射型液晶パネル６１Ｒへと至る。また、Ｐ偏光として第２偏光ビームスプリッタ６６に入射したＢ光は、その偏光分離面を透過してＢ用反射型液晶パネル６１Ｂへと至る。
【００７３】
ここで、Ｒ用反射型液晶パネル６１Ｒは黒表示状態であるため、Ｒ用反射型液晶パネル６１Ｒに入射したＲ光は画像変調されないまま反射される。このため、Ｒ用反射型液晶パネル６１Ｒで反射された後も、Ｒ光はＳ偏光光のままである。したがって、Ｒ光は再び第２偏光ビームスプリッタ６６の偏光分離面で反射し、入射側偏光板６４ｂを通過して光源側に戻され、投射光から除去される。これにより、黒表示がなされる。
【００７４】
一方、Ｂ用反射型液晶パネル６１Ｂに入射したＢ光は、Ｂ用反射型液晶パネル６１Ｂが黒表示状態であるため、画像変調されないまま反射される。このため、Ｂ用反射型液晶パネル６１Ｂで反射された後も、Ｂ光はＰ偏光光のままである。したがって、Ｂ光は再び第２偏光ビームスプリッタ６６の偏光分離面を透過し、色選択性位相差板６５によりＰ偏光に変換され、入射側偏光板６４ｂを透過して、光源側に戻され、投射光から除去される。
【００７５】
図８には、本実施例のプロジェクタにおけるプリズムユニットのＸＹ断面（第１の断面）での構成を示している。
【００７６】
１１４，１１３はそれぞれ、図６に示した第１の偏光ビームスプリッタ６０および第２偏光ビームスプリッタ６６に相当する立方体または直方体のプリズム型光学素子としての第１のプリズムおよび第２のプリズムである。また、１１２は図６に示したダイクロイックプリズム６９に相当する立方体または直方体のプリズム型光学素子としての第３のプリズムである。第１および第２のプリズム１１４，１１３はそれぞれ光学膜面としての偏光分離面１１４ａ，１１３ａを有し、第３のプリズム１１２は光学膜面としてのダイクロイック面１１２ａを有する。各プリズムは、光学膜面が形成された２つの三角柱形状のプリズム片を互いに貼り合わせることで製作される。これら第１、第２および第３のプリズム１１３，１１４，１１２により合成光学系が構成される。第１、第２および第３のプリズム１１３，１１４，１１２は、それらの底面（光学膜面に直交するプリズム外面）がプリズム連結部材１１８の保持面（平面）に接着されることで該プリズム連結部材１１８に固定される。
【００７７】
１１５，１１６および１１７はそれぞれ、図６に示した反射型液晶パネル６１Ｂ，６１Ｒ，６１Ｇに相当するＢパネル，ＲパネルおよびＧパネルである。１０７は図６に示した投射レンズ５に相当する投射レンズであり、１０７ａはその光軸である。
【００７８】
図６でも説明したように、第１のプリズム１１４にはＧ光が、第２のプリズム１１３にはＢ光およびＲ光がそれぞれ、図中の白矢印で示す方向から入射する。第１のプリズム１１４の偏光分離面１１４ａにて反射したＧ光はＧパネル１１７により、第２のプリズム１１３の偏光分離面１１３ａにてそれぞれ透過および反射したＢ光およびＲ光はＢパネル１１５およびＲパネル１１６により画像変調されるとともに反射される。画像変調されたＧ光は第１のプリズム１１４の偏光分離面１１４ａを透過して、また画像変調されたＢ光およびＲ光はそれぞれ第２のプリズム１１３の偏光分離面１１３ａにて反射および透過して第３のプリズム１１２に入射する。第３のプリズム１１２のダイクロイック面１１２ａにて反射したＧ光とダイクロイック面１１２ａを透過したＢ光およびＲ光とは、合成されて投射レンズ１０７に向かう。これにより、投射レンズ１０７によって不図示のスクリーン等の被投射面に投射され、カラー画像としての投射画像が被投射面上にて表示される。
【００７９】
１０９は投射レンズ１０７が取り付けられるマウント部材である。なお、投射レンズ１０７は、マウント部材１０９に対して固定的（交換不能）に取り付けられてもよいし、着脱可能（交換可能）に取り付けられてもよい。
【００８０】
図７に示すように、Ｇ、ＢおよびＲパネル１１７，１１５，１１６から第１、第２および第３のプリズム１１４，１１３，１１２を介してマウント部材１０９に取り付けられた投射レンズ１０７に向かうＧ光、Ｂ光およびＲ光の光路を含む断面がＸＹ断面である。
【００８１】
第１、第２および第３のプリズム１１４，１１３，１１２は、光学面としての外形面（１１４ｂ，１１４ｃ，１１３ｂ，１１３ｃ，１１３ｄ，１１２ｃ，１１２ｄ）を有する。ＸＹ断面において、これら外形面は、それらの研磨誤差やプリズム片の貼合わせ誤差等の製造誤差によって、投射レンズ１０７の光軸１０７ａに対する傾きが生じる。なお、光軸１０７ａは、第３および第２のプリズム１１２，１１３の外形面１１２ｂ，１１２ｃ，１１３ｂ，１１３ｃに向かって真っ直ぐに延びる。また、光軸１０７ａは、ダイクロイック面１１２ａおよび偏光分離面１１３ａでの反射により外形面１１３ｄ，１１４ｂ，１１４ｃに向かって折れ曲がって延びているものとする。
【００８２】
このような投射レンズ１０７の光軸１０７ａに対する各プリズムの外形面の傾きは、投射レンズ１０７の解像性能に影響する。具体的には、Ｇ、ＢおよびＲパネル１１７，１１５，１１６の小型化によってこれらの画素サイズが小さくなると、各プリズムの外形面と投射レンズ１０７の光軸１０７ａとのなす角度が９０度からずれることで投射レンズ１０７の解像度が低下する。このような投射レンズ１０７の光軸１０７ａに対する各プリズムの外形面の傾きをキャンセルする（光軸１０７ａと各外形面の法線とを一致させる）ためには、ＸＹ断面における投射レンズ１０７に対する各プリズムの回転位置を調整可能とする必要がある。以下、第１、第２および第３のプリズム１１４，１１３，１１２と投射レンズ１０７とのＸＹ断面およびＸＺ断面における相対的な回転位置調整を含む本実施例のプロジェクタの製造方法について説明する。
【００８３】
図８には、ＸＹ断面内（第１の断面内）においてマウント部材１０９に取り付けられた投射レンズ１０７に対する第１、第２および第３のプリズム１１４，１１３，１１２の回転位置を調整可能とするプリズム調整構造を示している。保持部材としてのプリズム台座１２３の台座面には丸穴形状の穴部１２３ａが形成されている。プリズム連結部材１１８の下面（偏光分離面１１４ａ，１１３ａおよびダイクロイック面１１２ａに直交するプリズム外面に平行な面）には、円柱形状の軸部材１１９が接着されている。軸部材１１９の位置は、偏光分離面１１４ａ，１１３ａを含む平面とダイクロイック面１１２ａを含む平面とが交差する位置（以下、光学膜面中心という）に対応する位置である。
【００８４】
軸部材１１９は、穴部１１１に挿入される。プリズム連結部材１１８の下面は、プリズム台座１２３の台座面（平面）に当接する。この構成によれば、プリズム連結部材１１８を、その下面をプリズム台座１２３の台座面に対して摺動させながら、ＸＹ断面において軸部材１１０と穴部１１１とによって与えられる回転中心回りでプリズム台座１２３に対して回転させることができる。言い換えれば、第１、第２および第３のプリズム１１４，１１３，１１２を、その光学膜面中心回りで、投射レンズ１０７に対してＸＹ断面内で回転させることができる。
【００８５】
第１、第２および第３のプリズム１１４，１１３，１１２の回転位置の調整後は、プリズム連結部材１１８の下面をプリズム台座１２３の台座面に接着する。これにより、ＸＹ断面内での投射レンズ１０７の光軸１０７ａに対する第１、第２および第３のプリズム１１４，１１３，１１２の回転位置を安定的に固定（維持）することができる。
【００８６】
このプリズム調整構造に代えて、実施例１において図２の右上側に示したように、第３のプリズム１１２の１つの角部をプリズム台座１２３に設けた位置決めピンに片寄せし、プリズム連結部材１１８を該位置決めピンを基準として回転させる構造を用いてもよい。この際、位置決めピンと第３のプリズム１１２との間にワッシャ等の調整用部材を挿入することで、第１、第２および第３のプリズム１１４，１１３，１１２の回転位置を固定することができる。
【００８７】
図９には、ＸＹ断面に直交して投射レンズ１０７の光軸１０７ａを含む第２の断面としてのＸＺ断面でのプリズムユニットの構成を示している。図９では、製造誤差によって第１、第２および第３のプリズム１１４，１１３，１１２（の外形面）に投射レンズ１０７の光軸１０７ａに対して傾きφが生じており、この傾きをキャンセルするための調整が必要となる。本実施例では、ＸＹ断面では第１、第２および第３のプリズム１１４，１１３，１１２を固定したプリズム連結部材１１８をプリズム台座１２３および投射レンズ１０７（マウント部材１０９）に対して回転させることで各プリズムの回転位置を調整可能とした。一方、ＸＺ断面では、マウント部材１０９を第１、第２および第３のプリズム１１４，１１３，１１２に対して回転させることで上記傾きφをキャンセルする。これにより、第１、第２および第３のプリズム１１４，１１３，１１２の各外形面の法線に投射レンズ１０７の光軸１０７ａを一致させる。
【００８８】
図９において、プリズム台座１２３にその台座面に対して垂直に延びるように設けられた壁部とマウント部材１０９との間には、マウント調整構造が設けられている。マウント調整構造は、実施例１と同様に、プリズム台座１２３の壁部に形成されたＶ溝部にマウント部材１０９にＹ方向に延びるように設けられた軸部を当接させた回転連結部１０８を有する。これにより、ＸＺ断面内（第２の断面内）でのプリズム台座１２３に対するマウント部材１０９の回転を可能とする。
【００８９】
なお、本実施例でも、実施例１で説明した理由により、ＸＺ断面において投射レンズ１０７の光軸１０７ａに重なる位置に投射レンズ１０７の回転中心となる回転連結部１０８を設けている。これにより、投射レンズ１０７の回転によって投射レンズ１０７とＧ、ＢおよびＲパネル１１７，１１５，１１６との距離が変動することを回避することができる。つまり、回転連結部が無い場合にはマウント部材１０９とプリズム台座１２３の間の四隅部等に異なる厚さのワッシャ部品（図示せず）を挿入することで同様の効果を得ることができる。しかし、投射レンズ１０７とＧ、ＢおよびＲパネル１１７，１１５，１１６との距離が変動しないように角度のみを調整する必要があるので、ワッシャの厚さを調整する作業は非常に調整に時間がかかり、難しいものとなる。
【００９０】
実施例１と同様に、プリズム台座１２３の壁部とマウント部材１０９との間における回転軸部１０８を挟んだＺ方向の一方と他方にそれぞれ、バネ部材とくさび型スライド（調整用部材）とを設けてもよい。また、マウント部材１０９とプリズム台座１０２の壁部との間にワッシャ等の他の調整用部材を挿入することでマウント部材１０９および投射レンズ１０７の回転位置を調整してもよい。
【００９１】
マウント部材１０９の回転位置の調整後は、マウント部材１０９をプリズム台座１０２の壁部に接着する。これにより、ＸＺ断面内での第１、第２および第３のプリズム１１４，１１３，１１２に対するマウント部材１０９および投射レンズ１０７の光軸１０７ａの回転位置を安定的に固定（維持）することができる。
【００９２】
また、投射レンズ１０７の光軸１０７ａをプリズム台座１２３上の各プリズムに対して回転させるのに伴い、各パネルもその中心に光軸１０７ａが位置し、かつ光軸１０７ａに直交するように移動させる必要がある。しかし、図９に点線で示す位置から実線で示す位置に各パネルを大きく移動させると、その一部が色分離光学系からの照明光１１０の入射領域から外れ、その結果、投射画像に欠けが生ずるおそれがある。
【００９３】
この場合には、実施例１において図３の右下部に示したようなガイド部としての長穴部（１０８ｄ）とこれに対してＹ方向に平行スライド可能な軸部（１０８ｅ）とを用いた構成を用いればよい。そして、投射レンズ１０７のＸＺ断面での回転位置を調整した後に投射レンズ１０７をＺ方向に平行スライドさせて、各パネルの位置が照明光１１０の入射領域から外れないように投射レンズ１０７の光軸１０７ａのＺ方向での位置を調整すればよい。
【００９４】
さらに、図９に示したマウント調整構造に代えて、図１０に示すように、投射レンズ１０７の光軸１０７ａに対してプリズム台座１２３をＸＺ断面内で回転可能とする台座調整構造を採用してもよい。この場合、投射レンズ１０７の光軸１０７ａに対する各プリズムの傾きφをキャンセルする、つまり投射レンズ１０７の光軸１０７ａに各プリズムの外形面の法線を一致させるように、プリズム台座１２３を回転させる。この構成によれば、各パネルの位置が照明光１１０の入射領域から外れることなく、各プリズムの外形面と投射レンズ１０７の光軸１０７ａとのＸＺ断面内での相対関係（直交する関係）を適正に設定することができる。なお、反射型液晶プロジェクタである本実施例では、各パネルから投射レンズ１０７までの距離が透過型液晶プロジェクタである実施例１よりも長く、各パネルの位置変化によって照明光１１０の入射領域から外れやすい。このため、図１０に示した台座調整構造は、本実施例において特に有効である。
【００９５】
また、図１１に示すように、プリズム台座１２３の壁部とマウント部材１０９との間に、投射レンズ１０７をその光軸１０７ａがＺ方向にシフトするようにガイドするガイド部としてのシフト機構１１１を設けてもよい。この場合は、シフト機構１１１（つまりはマウント部材１０９）とプリズム台座１２３の壁部との間に前述した回転連結部を設け、投射レンズ１０７のＸＺ断面内での回転位置を調整する。その後、シフト機構１１１を用いて各パネルの位置が照明光１１０の入射領域から外れないように投射レンズ１０７のＺ方向での位置を調整すればよい。
【００９６】
本実施例によれば、簡単な構成でありながらも、ＸＹおよびＸＺ断面内での各プリズムとマウント部材１０９（つまりは投射レンズ１０７）との相対回転位置の調整とその後のこれらの固定とを良好に行うことができる。
【００９７】
なお、上記各実施例では、光変調素子として液晶パネルを用いた場合について説明したが、デジタルマイクロミラーデバイス（ＤＭＤ）等の他の光変調素子を用いてもよい。
【００９８】
以上説明した各実施例は代表的な例にすぎず、本発明の実施に際しては、各実施例に対して種々の変形や変更が可能である。
【符号の説明】
【００９９】
１０３〜１０５，１１５〜１１７  液晶パネル
１０１  ダイクロイックプリズム
１０２，１２３  プリズム台座
１１２  第３のプリズム
１１３  第２のプリズム
１１４  第１のプリズム
１０７  投射レンズ
１０８ｂ  くさび型スライド（調整用部材）
１０９  マウント部材
【図１】
2017032618.tif 000003
【図２】
2017032618.tif 000004
【図３】
2017032618.tif 000005
【図４】
2017032618.tif 000006
【図５】
2017032618.tif 000007
【図６】
2017032618.tif 000008
【図７】
2017032618.tif 000009
【図８】
2017032618.tif 000010
【図９】
2017032618.tif 000011
【図１０】
2017032618.tif 000012
【図１１】
2017032618.tif 000013